(57)【要約】【課題】コンパクトにすることが可能であると共に、組み立てを容易に行うことができるベッドフレームを提供する。【解決手段】一実施形態に係るベッドフレーム１は、第１方向Ｄ１に延在するヘッドボード４と、ヘッドボード４の第１方向Ｄ１の両端のそれぞれからヘッドボード４に交差する第２方向Ｄ２に延在する一対の板状のサイドレール３と、それぞれのサイドレール３におけるヘッドボード４との反対側の端部において、一対のサイドレール３を連結するフットボード５と、ヘッドボード４、一対のサイドレール３、及びフットボード５によって形成された空間Ｓに嵌め込まれる床板２と、を備え、サイドレール３は、ヒンジ部３Ａを備えており、ヒンジ部３Ａに対して空間Ｓの外側に折り曲げ可能となるように配置される。【選択図】図１
2018057491.tif 000002
【特許請求の範囲】
【請求項１】
第１方向に延在するヘッドボードと、
前記ヘッドボードの前記第１方向の両端のそれぞれから前記ヘッドボードに交差する第２方向に延在する一対の板状のサイドレールと、
それぞれの前記サイドレールにおける前記ヘッドボードとの反対側の端部において、前記一対のサイドレールを連結するフットボードと、
前記ヘッドボード、前記一対のサイドレール、及び前記フットボードによって形成された空間に嵌め込まれる床板と、
を備え、
前記ヘッドボード、前記サイドレール、前記フットボード、及び前記床板の少なくともいずれかは、ヒンジ部を備えており、前記ヒンジ部に対して前記空間の外側に折り曲げ可能となるように配置される、
ベッドフレーム。
【請求項２】
前記第２方向は、前記ベッドフレームの長手方向であり、
前記一対のサイドレールのそれぞれは、前記ヒンジ部と、前記ヒンジ部の前記第２方向の一方側に位置する第１部分と、前記ヒンジ部の前記第２方向の他方側に位置する第２部分と、を有し、
前記第１部分及び前記第２部分は、それぞれ前記床板が乗せられる凸部が形成された内側面を有し、
前記第１部分及び前記第２部分は、前記ヒンジ部に対して各前記内側面が外側を向くように折り曲げ可能とされる、
請求項１に記載のベッドフレーム。
【発明の詳細な説明】
【技術分野】
【０００１】
本発明は、ベッドを構成するベッドフレームに関する。
【背景技術】
【０００２】
従来からベッドフレームとしては種々のものが知られている。実開平７−２０９０５号公報には、使用者の頭部側に位置するヘッドボードと、使用者の足側に位置するフットボードと、使用者の身体が延びる方向に延在するサイドレールとを備えたベッド用フレームが記載されている。
【０００３】
前述したベッド用フレームには、４枚のサイドレールが設けられている。４枚のサイドレールのうちの２枚は、ヘッドボードの長手方向の一端、及びフットボードの長手方向の一端を接続しており、他の２枚は、ヘッドボードの長手方向の他端、及びフットボードの長手方向の他端を接続している。
【０００４】
ベッド用フレームの長手方向に沿って並ぶ２枚のサイドレールの間には、板状の中束がベッド用フレームの幅方向に延びている。上記長手方向に沿って並ぶ２枚のサイドレールと中束とは、Ｌ字状のジョイント、螺子、及びナットによって互いに接続されている。組立前においては、上記４枚のサイドレール、中束、ヘッドボード、及びフットボードは、全て別体となっている。
【先行技術文献】
【特許文献】
【０００５】
【特許文献１】実開平７−２０９０５号公報
【発明の概要】
【発明が解決しようとする課題】
【０００６】
前述したベッドフレームでは、組立していない状態において全体的にコンパクトにすることは可能である。しかしながら、２枚のサイドレールの間に中束が介在し、更に、中束と２枚のサイドレールのそれぞれとは、ジョイント、螺子、及びナットによって接続しなければならない。よって、組み立てを容易に行うことができないという問題がある。
【０００７】
本発明は、コンパクトにすることが可能であると共に、組み立てを容易に行うことができるベッドフレームを提供することを目的とする。
【課題を解決するための手段】
【０００８】
本発明に係るベッドフレームは、第１方向に延在するヘッドボードと、ヘッドボードの第１方向の両端のそれぞれからヘッドボードに交差する第２方向に延在する一対の板状のサイドレールと、それぞれのサイドレールにおけるヘッドボードとの反対側の端部において、一対のサイドレールを連結するフットボードと、ヘッドボード、一対のサイドレール、及びフットボードによって形成された空間に嵌め込まれる床板と、を備え、ヘッドボード、サイドレール、フットボード、及び床板の少なくともいずれかは、ヒンジ部を備えており、ヒンジ部に対して空間の外側に折り曲げ可能となるように配置される。
【０００９】
このベッドフレームでは、ヘッドボード、サイドレール、フットボード、及び床板の少なくともいずれかがヒンジ部を介して折り曲げ可能とされている。よって、ヘッドボード、サイドレール、フットボード、及び床板の少なくともいずれかをコンパクトにすることができる。また、ヒンジ部を介して折り曲げ可能としていることにより、組み立て前には折り畳みを行ってコンパクト化し、組み立て時にはヒンジ部を中心としてコンパクト化された部品を広げることができるので、ジョイント等を不要にして部品点数の増加を抑えることができると共に、組み立てを容易に行うことができる。更に、ヘッドボード、サイドレール、フットボード、及び床板の少なくともいずれかの部品は、ヒンジ部に対して空間の外側に折り曲げ可能となるように配置されるので、当該部品が組み立て後に折り曲げられるのを抑制することができる。従って、組み立て後には、当該部品の折り曲げが阻止されるので、使用時におけるベッドフレームの変形を抑制することができる。
【００１０】
また、第２方向は、ベッドフレームの長手方向であり、一対のサイドレールのそれぞれは、ヒンジ部と、ヒンジ部の第２方向の一方側に位置する第１部分と、ヒンジ部の第２方向の他方側に位置する第２部分と、を有し、第１部分及び第２部分は、それぞれ床板が乗せられる凸部が形成された内側面を有し、第１部分及び第２部分は、ヒンジ部に対して各内側面が外側を向くように折り曲げ可能とされてもよい。この場合、第２方向に延びるサイドレールの第１部分及び第２部分は、ヒンジ部を介して回転自在に連結されている。よって、長尺状のサイドレールを容易にコンパクト化できるので、搬送を容易に且つ低コストで行うことができる。また、ヒンジ部によって、第１部分及び第２部分は、各内側面が外側を向くように折り曲げ可能とされる。従って、組み立て後に各内側面の凸部に床板が乗せられると、外側からヒンジ部が押されて第１部分及び第２部分が前述した空間の内側に回転しようとしても、この回転は、床板によって阻止される。よって、使用時における第１部分及び第２部分の回転を抑制できるので、使用時におけるベッドフレームの変形を抑制することができる。
【発明の効果】
【００１１】
本発明によれば、コンパクトにすることが可能であると共に、組み立てを容易に行うことができる。
【図面の簡単な説明】
【００１２】
【図１】第１実施形態に係るベッドフレームにおいて床板を嵌め込む状態を示す斜視図である。
【図２】（ａ）は、第１実施形態に係るサイドレールの外側面を示す側面図である。（ｂ）は、第１実施形態に係るサイドレールの内側面を示す側面図である。
【図３】（ａ）は、第１実施形態に係るサイドレールを折り曲げる状態を示す斜視図である。（ｂ）は、第１実施形態に係るサイドレールを折り畳んだ状態を示す斜視図である。
【図４】（ａ）は、床板が嵌め込まれる前のサイドレールを示す平面図である。（ｂ）は、床板が嵌め込まれた後のサイドレールを示す平面図である。
【図５】（ａ）は、第２実施形態に係るヘッドボードを示す斜視図である。（ｂ）は、第３実施形態に係るフットボードを示す斜視図である。（ｃ）は、第４実施形態に係る床板を示す平面図である。
【発明を実施するための形態】
【００１３】
以下、図面を参照しながら、本発明に係るベッドフレームの実施形態について説明する。図面の説明において、同一又は相当する要素には同一の符号を付し重複する説明を省略する。
【００１４】
（第１実施形態）
図１は、第１実施形態に係るベッドフレーム１を示す斜視図である。図１に示されるように、ベッドフレーム１は、平面視において枠状にされると共に、ベッドフレーム１の内側の空間Ｓに２枚の床板２が嵌め込まれる。床板２の上には、例えば、マットレスが乗せられ、更にマットレスの上に敷き寝具が乗せられて使用される。マットレスは、例えば、スプリングマットレスであり、敷き寝具は、敷き布団、ベッドパッド又はオーバレイである。
【００１５】
ベッドフレーム１は、前述した２枚の床板２の他に、２枚のサイドレール３、ヘッドボード４、及びフットボード５を備えている。ベッドフレーム１の平面視における形状は、２枚のサイドレール３、ヘッドボード４、及びフットボード５によって長方形の枠状とされている。２枚のサイドレール３、ヘッドボード４、及びフットボード５は、例えば、床面（ベッドフレーム１の設置面）に接触している。ヘッドボード４及びフットボード５は、ベッドフレーム１の幅方向である第１方向Ｄ１に延在しており、２枚のサイドレール３は、ベッドフレーム１の長手方向である第２方向Ｄ２に延在している。
【００１６】
床板２は、長方形状とされた主面２ａを有する板状とされており、主面２ａを成す四辺が第１方向Ｄ１及び第２方向Ｄ２に延びるようにベッドフレーム１の内側の空間Ｓに配置される。床板２は、主面２ａが上を向くように配置され、配置された床板２の主面２ａの上には、前述したマットレス等が載置される。
【００１７】
サイドレール３は、ベッドフレーム１の第１方向Ｄ１の両端に一対に設けられる。各サイドレール３は、ベッドフレーム１の長手方向である第２方向Ｄ２に延在している。サイドレール３は、板状とされている。サイドレール３は、ヒンジ部３Ａ（蝶番）を備えており、ヒンジ部３Ａを介して二分割されている。また、サイドレール３は、ヒンジ部３Ａの第２方向Ｄ２の一方側（ヘッドボード４側）に位置する第１部分３Ｂと、ヒンジ部３Ａの第２方向Ｄ２の他方側（フットボード５側）に位置する第２部分３Ｃとを備えている。
【００１８】
第１部分３Ｂ及び第２部分３Ｃは、例えば、共に長方形状を成している。ヒンジ部３Ａの位置は、例えば、サイドレール３の第２方向Ｄ２の中央である。すなわち、ヒンジ部３Ａの一方側の第１部分３Ｂと、ヒンジ部３Ａの他方側の第２部分３Ｃとは、面積が互いに同一である。これにより、ヒンジ部３Ａでサイドレール３を折り曲げた（折り畳んだ）ときにサイドレール３の長さを丁度半分にすることができるので、サイドレール３をコンパクトにすることが可能である。
【００１９】
図２（ａ）及び図２（ｂ）に示されるように、第１部分３Ｂ及び第２部分３Ｃは、共に、空間Ｓの外側を向く外側面３ａと、空間Ｓ側を向く内側面３ｂとを有する。外側面３ａ及び内側面３ｂは、共に第２方向Ｄ２に延びる長方形状とされる。ヒンジ部３Ａは、第１部分３Ｂの外側面３ａ、及び第２部分３Ｃの外側面３ａを跨ぐように設けられている。
【００２０】
第１部分３Ｂの内側面３ｂ、及び第２部分３Ｃの内側面３ｂには、共に、床板２が乗せられる凸部３ｃが設けられている。各凸部３ｃは、例えば、内側面３ｂから矩形状に突出しており、凸部３ｃの頂面３ｄに交差（直交）する方向を向く側面３ｅ（上面）が床板２の載置面とされている。
【００２１】
各凸部３ｃは、第１部分３Ｂ及び第２部分３Ｃのそれぞれにおいて、第２方向Ｄ２に沿って延びており、第１部分３Ｂ及び第２部分３Ｃにおける各凸部３ｃの高さ位置は、例えば、互いに同一とされる。これにより、第１部分３Ｂ及び第２部分３Ｃにおいて、凸部３ｃの側面３ｅの高さが互いに同一となるので、側面３ｅにがたつきなく複数枚の床板２を乗せることが可能である。
【００２２】
図３（ａ）及び図３（ｂ）に示されるように、ヒンジ部３Ａは、例えば、平蝶番である。ヒンジ部３Ａは、第１部分３Ｂの外側面３ａにおけるフットボード５側（サイドレール３の中央側）の端部、及び、第２部分３Ｃの外側面３ａにおけるヘッドボード４側（サイドレール３の中央側）の端部、に固定されている。
【００２３】
ヒンジ部３Ａは、例えば、３個のネジによって外側面３ａに固定されており、３個のネジは、ヒンジ部３Ａの円弧状に湾曲した外縁に沿って三角形状となるように配置されている。このようにヒンジ部３Ａが配置及び固定されていることにより、第１部分３Ｂ及び第２部分３Ｃは、各外側面３ａが内側を向き、且つ、各内側面３ｂ及び各凸部３ｃが外側を向くように折り曲げ可能となっている。
【００２４】
ヒンジ部３Ａは、例えば２つ設けられている。２つのヒンジ部３Ａは、第１方向Ｄ１及び第２方向Ｄ２に交差する第３方向Ｄ３に沿って並んでいる。第３方向Ｄ３は、例えば、鉛直方向であり、第１方向Ｄ１及び第２方向Ｄ２は水平方向である。２つのヒンジ部３Ａは、例えば、サイドレール３の第３方向Ｄ３の中央に対して互いに対称となる位置に配置されている。このようにヒンジ部３Ａが対称に配置されていることによって、ヒンジ部３Ａを中心とした第１部分３Ｂ及び第２部分３Ｃの回転をスムーズに行うことが可能である。
【００２５】
図１に示されるように、ヘッドボード４は、ベッドフレーム１の第２方向Ｄ２の一端に設けられている。ヘッドボード４は、使用者の頭部側に位置する板状且つ長方形状の部品であり、フットボード５よりも大型とされている。ヘッドボード４は、ベッドフレーム１の幅方向である第１方向Ｄ１に延びており、この第１方向Ｄ１がヘッドボード４の長手方向である。ヘッドボード４の第１方向Ｄ１の両端それぞれには、サイドレール３が取付部材６及びネジによって固定され、ヘッドボード４からは一対のサイドレール３が第２方向Ｄ２に延在する。
【００２６】
フットボード５は、それぞれのサイドレール３におけるヘッドボード４との反対側の端部において、一対のサイドレール３を連結する。フットボード５は、使用者の足側に位置する板状且つ長方形状の部品であり、ヘッドボード４と同様、第１方向Ｄ１に長く延びている。フットボード５の第１方向Ｄ１の両端それぞれには、サイドレール３が取付部材７及びネジによって固定され、フットボード５からは一対のサイドレール３が第２方向Ｄ２に延在する。
【００２７】
取付部材６は、サイドレール３の第１部分３Ｂの内側面３ｂにおける第２方向Ｄ２の一端（ヘッドボード４側の端部）に設けられており、例えば、凸部３ｃの延長上の位置に固定されている。取付部材６は、内側面３ｂに固定される平面部６ａと、平面部６ａの第２方向Ｄ２の端部から空間Ｓ側に折り曲げられた上下一対の鉤状部６ｂとを備えている。鉤状部６ｂは、空間Ｓ側に延びると共に下方に折り曲げられた形状を成している。各鉤状部６ｂは、ヘッドボード４に形成されたネジ穴４ａに位置合わせされ、この状態で鉤状部６ｂ及びネジ穴４ａにネジがねじ込まれることによってヘッドボード４に各サイドレール３が固定される。
【００２８】
取付部材７は、サイドレール３の第２部分３Ｃの内側面３ｂにおける第２方向Ｄ２の他端（フットボード５側の端部）に設けられており、例えば、凸部３ｃの延長上の位置に固定されている。取付部材７は、取付部材６と同様、平面部と鉤状部７ｂとを備えており、鉤状部７ｂは、フットボード５に形成されたネジ穴に位置合わせされ、この状態で鉤状部７ｂ及び当該ネジ穴にネジがねじ込まれることによってフットボード５に各サイドレール３が固定される。
【００２９】
次に、本実施形態に係るベッドフレーム１から得られる効果について説明する。
【００３０】
本実施形態に係るベッドフレーム１では、サイドレール３がヒンジ部３Ａを介して折り曲げ可能とされている。よって、サイドレール３をコンパクトにすることができる。また、ヒンジ部３Ａを介して折り曲げ可能としていることにより、組み立て前には折り畳みを行ってコンパクト化し、組み立て時にはヒンジ部３Ａを中心としてコンパクト化されたサイドレール３を広げることができる。従って、サイドレール３においてジョイント等を不要にして部品点数の増加を抑えることができると共に、組み立てを容易に行うことができる。
【００３１】
また、サイドレール３は、ヒンジ部３Ａに対して空間Ｓの外側に折り曲げ可能となるように配置されるので、サイドレール３が組み立て後に折り曲げられるのを抑制することができる。従って、組み立て後には、サイドレール３の折り曲げが阻止されるので、使用時におけるベッドフレーム１の変形を抑制することができる。特に、本実施形態では、サイドレール３がヒンジ部３Ａを介して折り畳み可能とされている。サイドレール３は、第２方向Ｄ２に長く延びる板状の長物であるため、長物のサイドレール３がヒンジ部３Ａで折り畳み可能であることにより、サイドレール３を含む部品搬送時の梱包サイズを小さくすることが可能となる。従って、ベッドフレーム１の梱包数を減らすことが可能になると共に、ベッドフレーム１の配送コストを抑えることが可能となる。
【００３２】
また、第２方向Ｄ２は、ベッドフレーム１の長手方向であり、一対のサイドレール３のそれぞれは、ヒンジ部３Ａと、ヒンジ部３Ａの第２方向Ｄ２の一方側に位置する第１部分３Ｂと、ヒンジ部３Ａの第２方向Ｄ２の他方側に位置する第２部分３Ｃと、を有し、第１部分３Ｂ及び第２部分３Ｃは、それぞれ床板２が乗せられる凸部３ｃが形成された内側面３ｂを有し、第１部分３Ｂ及び第２部分３Ｃは、ヒンジ部３Ａに対して各内側面３ｂが外側を向くように折り曲げ可能とされる。よって、サイドレール３の第１部分３Ｂ及び第２部分３Ｃは、ヒンジ部３Ａを介して回転自在に連結されている。
【００３３】
また、図４（ａ）及び図４（ｂ）に示されるように、ヒンジ部３Ａによって、第１部分３Ｂ及び第２部分３Ｃは、各内側面３ｂが外側を向くように折り曲げ可能とされている。従って、組み立て後に各内側面３ｂに設けられた凸部３ｃに床板２が乗せられると、外側からヒンジ部３Ａが押されて第１部分３Ｂ及び第２部分３Ｃが空間Ｓの内側に回転（移動）しようとしても、この回転は、床板２によって阻止される。従って、使用時における第１部分３Ｂ及び第２部分３Ｃの回転を抑制できるので、使用時におけるベッドフレーム１の変形を抑制することができる。
【００３４】
（第２実施形態）
次に、第２実施形態に係るベッドフレームについて図５（ａ）を参照しながら説明する。以下では、前述した内容と同一の内容については、その説明を適宜省略する。図５（ａ）に示されるように、第２実施形態に係るベッドフレームは、ヘッドボード４とは異なるヘッドボード２４を備えている。ヘッドボード２４は、第１方向Ｄ１に長く延びる長方形状を成している。
【００３５】
ヘッドボード２４は、ヒンジ部２４Ａを備えており、ヒンジ部２４Ａを介して二分割されている。ヒンジ部２４Ａは、３箇所に設けられている。３つのヒンジ部２４Ａのうちの１つはヘッドボード２４の第３方向Ｄ３の中央に設けられており、残り２つは第３方向Ｄ３の中央に対して互いに対称となる位置に一対に設けられている。
【００３６】
ヘッドボード２４は、ヒンジ部２４Ａの第１方向Ｄ１の一方側に位置する第１部分２４Ｂと、ヒンジ部２４Ａの第１方向Ｄ１の他方側に位置する第２部分２４Ｃと、を備えている。第１部分２４Ｂ及び第２部分２４Ｃは、例えば、共に長方形状を成しており、ヒンジ部２４Ａの位置は、ヘッドボード２４の第１方向Ｄ１の中央である。これにより、ヒンジ部２４Ａでヘッドボード２４を折り畳んだときにヘッドボード２４の長さを丁度半分にすることができるので、ヘッドボード２４の一層のコンパクト化が可能となる。
【００３７】
以上、第２実施形態に係るベッドフレームでは、ヘッドボード２４がヒンジ部２４Ａを介して折り曲げ可能とされている。よって、第１実施形態のサイドレール３と同様、ヘッドボード２４をコンパクトにすることができる。また、組み立て時には、ヒンジ部２４Ａを中心としてコンパクト化されたヘッドボード２４を広げることができるので、サイドレール３と同様、組み立てを容易に行うことができる。
【００３８】
（第３実施形態）
続いて、第３実施形態に係るベッドフレームについて図５（ｂ）を参照しながら説明する。図５（ｂ）に示されるように、第３実施形態に係るベッドフレームは、フットボード５とは異なるフットボード３５を備えており、このフットボード３５は、第１方向Ｄ１に長く延びる長方形状とされている。
【００３９】
フットボード３５は、前述したヘッドボード２４と同様、ヒンジ部３５Ａと、第１部分３５Ｂと、第２部分３５Ｃとを備える。ヒンジ部３５Ａは、フットボード３５の第３方向Ｄ３の中央に１つ設けられている。第３実施形態に係るベッドフレームでは、第２実施形態と同様、フットボード３５をコンパクトにすることができると共に、組み立て時にはフットボード３５を広げることができるので、組み立てを容易に行うことができる。
【００４０】
（第４実施形態）
次に、第４実施形態に係るベッドフレームについて図５（ｃ）を参照しながら説明する。図５（ｃ）に示されるように、第４実施形態では、床板２とは異なる床板４２が設けられており、床板４２は、前述の各実施形態と同様、ヒンジ部４２Ａと、第１部分４２Ｂと、第２部分４２Ｃとを備えている。従って、第４実施形態では、床板４２をコンパクトにすることができると共に組み立てを容易に行うことができる。なお、床板４２の強度を高めるために、ヒンジ部４２Ａ付きの床板４２の厚さは、ヒンジ部無しの床板２の厚さより厚くてもよい。
【００４１】
以上、本発明に係るベッドフレームの実施形態について説明したが、本発明は、前述した各実施形態に限定されることなく、各請求項に記載した要旨を変更しない範囲で変形し、又は他のものに適用したものであってもよい。すなわち、本発明は、特許請求の範囲に記載した要旨を変更しない範囲で種々の変形が可能である。
【００４２】
例えば、前述の実施形態では、２枚の床板２を備えたベッドフレーム１について説明したが、床板の枚数は、１枚又は３枚以上であってもよい。サイドレール、ヘッドボード、及びフットボードの枚数についても特に限定されない。また、取付部材６，７の数、形状、大きさ、及び配置態様については適宜変更可能である。更に、ヒンジ部の数、形状、大きさ、及び配置態様についても適宜変更可能である。
【００４３】
また、前述の実施形態では、サイドレール３、ヘッドボード２４、フットボード３５、及び床板４２のそれぞれが二分割されている例について説明したが、これらの各部品は三つ以上に分割されていてもよい。この分割数に応じて、ヒンジ部の配置も適宜変更可能である。
【００４４】
また、前述の実施形態では、床板２の上にマットレスが乗せられ、マットレスの上に敷き寝具が乗せられて使用されるベッドフレーム１について説明したが、床板２の上に乗せられるものについては特に限定されない。
【００４５】
また、本発明に係るベッドフレームは、床板４２、一対のサイドレール３、ヘッドボード２４、及びフットボード３５を備えたベッドフレームであってもよい。このように、ベッドフレームの全ての部品をヒンジ部付きとしてもよいし、ベッドフレームの一部の部品のみをヒンジ部付きとしてもよい。
【符号の説明】
【００４６】
１…ベッドフレーム、２，４２…床板、２ａ…主面、３…サイドレール、３Ａ，２４Ａ，３５Ａ，４２Ａ…ヒンジ部、３Ｂ，２４Ｂ，３５Ｂ，４２Ｂ…第１部分、、３Ｃ，２４Ｃ，３５Ｃ，４２Ｃ…第２部分、３ａ…外側面、３ｂ…内側面、３ｃ…凸部、３ｄ…頂面、３ｅ…側面、４，２４…ヘッドボード、４ａ…ネジ穴、５，３５…フットボード、６，７…取付部材、６ａ…平面部、６ｂ，７ｂ…鉤状部、Ｄ１…第１方向、Ｄ２…第２方向、Ｄ３…第３方向、Ｓ…空間。
【図１】
2018057491.tif 000003
【図２】
2018057491.tif 000004
【図３】
2018057491.tif 000005
【図４】
2018057491.tif 000006
【図５】
2018057491.tif 000007